(57)【特許請求の範囲】
【請求項１】
隅桁、中間桁及び中央桁を有し、且つ、デッキボードの下面には、隅桁と中間桁とを連結する複数の桁間連結リブと該桁間連結リブに直交する複数の桁間直交リブとが交叉するように垂設されているとともに、デッキボードの下面には、中間桁と中央桁とを連結する複数の桁間連結リブと該桁間連結リブに直交する複数の桁間直交リブとが交叉するように垂設されており、更に、隅桁と中間桁間及び中間桁と中央桁間に位置する領域以外のデッキボードの下面にも交叉リブが垂設されている、平面形状が長方形の四方差しの合成樹脂製パレットにおいて、長辺に沿って形成された、隅桁と中間桁とを連結する桁間連結リブのリブピッチ及び長辺に沿って形成された、中間桁と中央桁とを連結する桁間連結リブのリブピッチが、いずれも、短辺に沿って形成された、隅桁と中間桁とを連結する桁間連結リブのリブピッチ及び短辺に沿って形成された、中間桁と中央桁とを連結する桁間連結リブのリブピッチより狭く形成されていることを特徴とする合成樹脂製パレット。
【発明の詳細な説明】
【０００１】
【発明の属する技術分野】
本発明は、荷物の運搬や保管等に使用される合成樹脂製パレットに関するものであり、特に、平面形状が長方形で、四方差しが可能な合成樹脂製パレットに関するものである。
【０００２】
【従来の技術】
従来、平面形状が長方形で、且つ、四方差しが可能な合成樹脂製パレットにおいて、デッキ面の裏面に、合成樹脂製パレットの長辺及び短辺に、それぞれ、略平行に走るリブが形成されているものが知られている。そして、合成樹脂製パレットの長辺に略平行に走るリブのピッチと、短辺に略平行に走るリブのピッチとは、略等ピッチに形成されている。例えば、長辺の長さが、１２００ｍｍで、短辺の長さが、１０００ｍｍである合成樹脂製パレットの場合、長辺に略平行に走るリブのピッチ及び短辺に略平行に走るリブのピッチは、２５〜５０ｍｍ程度である。
【０００３】
【発明が解決しようとする課題】
図４に示されているように、従来の合成樹脂製パレットの短辺ｐ１側に形成されているフォーク挿入口ｐ２に、フォークリフトの２本のフォークｆを挿入して、荷物Ｃが載置されている合成樹脂製パレットの運搬作業をした後、次の合成樹脂製パレットの搬送作業を、長辺ｐ３側に形成されているフォーク挿入口ｐ４に、フォークｆを挿入して行うことがある。このような場合、長辺ｐ３側に形成されているフォーク挿入口ｐ４に合わせて、フォークｆの間隔を拡げる作業を行うが、誤って、短辺ｐ１側に形成されたフォーク挿入口ｐ２に挿入したままの間隔を有するフォークｆを、長辺ｐ３側に形成されているフォーク挿入口ｐ４に挿入すると、合成樹脂製パレットのフォークｆの外側に位置する部分の長さＸが長くなるので、図５に、模擬的に示されているように、合成樹脂製パレットが、フォークｆの外側に位置する部分に載置された荷物Ｃの重さにより、二点鎖線のように、上方に彎曲し、合成樹脂製パレットに載置されている荷物が落下するというような問題があった。
【０００４】
また、合成樹脂製パレットの剛性を高めて、撓み量を減少させるために、デッキ面の裏面に形成されているリブの本数を、裏面全体に亘たって、増やすことも考えられるが、合成樹脂製パレットの重量がいたずらに増加するとともに、合成樹脂製パレットのコストアップとなり、効果的に剛性を高めることができないという問題がある。
【０００５】
本発明の目的は、上述したような従来の合成樹脂製パレットが有する課題を解決することにある。
【０００６】
【課題を解決するための手段】
本発明は、上述した目的を達成するために、隅桁、中間桁及び中央桁を有し、且つ、デッキボードの下面には、隅桁と中間桁とを連結する複数の桁間連結リブと該桁間連結リブに直交する複数の桁間直交リブとが交叉するように垂設されているとともに、デッキボードの下面には、中間桁と中央桁とを連結する複数の桁間連結リブと該桁間連結リブに直交する複数の桁間直交リブとが交叉するように垂設されており、更に、隅桁と中間桁間及び中間桁と中央桁間に位置する領域以外のデッキボードの下面にも交叉リブが垂設されている、平面形状が長方形の四方差しの合成樹脂製パレットにおいて、長辺に沿って形成された、隅桁と中間桁とを連結する桁間連結リブのリブピッチ及び長辺に沿って形成された、中間桁と中央桁とを連結する桁間連結リブのリブピッチを、いずれも、短辺に沿って形成された、隅桁と中間桁とを連結する桁間連結リブのリブピッチ及び短辺に沿って形成された、中間桁と中央桁とを連結する桁間連結リブのリブピッチより狭く形成したものである。
【０００７】
【実施例】
以下に、本発明の実施例について説明するが、本発明の趣旨を越えない限り何ら、本実施例に限定されるものではない。
【０００８】
本発明の一例としての合成樹脂製パレット（以下、単に、パレットともいう。
）は、合成樹脂で、それぞれ、一体に成型された上部スキッドＳ１と下部スキッドＳ２とを、桁部で溶着することにより形成されている。なお、本実施例においては、上部スキッドＳ１と下部スキッドＳ２とは、同一形状に形成されているが、必ずしも、同一形状に形成される必要はない。
【０００９】
平面形状が長方形状の上部スキッドＳ１は、四隅に形成された隅桁部１ａ’と、隅桁部１ａ’の中間に形成された中間桁部１ｂ’と、中央部に形成された中央桁部１ｃ’とを有し、また、同じく、平面形状が長方形状の下部スキッドＳ２は、四隅に形成された隅桁部１ａ”と、隅桁部１ａ”の中間に形成された中間桁部１ｂ”と、中央部に形成された中央桁部（図示されていない。）とを有しており、上部スキッドＳ１と下部スキッドＳ２とは、それぞれ、合成樹脂で一体に成形されている。そして、上部スキッドＳ１の隅桁部１ａ’の端面、中間桁部１ｂ’の端面及び中央桁部１ｃ’の端面と、下部スキッドＳ２の隅桁部１ａ”の端面、中間桁部１ｂ”の端面及び中央桁部１ｃ’の端面とを、それぞれ、互いに溶着することによりパレットが形成される。このようにして製造されたパレットの平面形状は、相対する長辺Ａと相対する短辺Ｂとを有する長方形状に形成されている。
【００１０】
上述したようにして形成されたパレットは、上部デッキボードと下部デッキボードと、四隅に形成された隅桁部１ａ’、１ａ”からなる筒状の隅桁１ａと、隅桁１ａの中間に形成された中間桁部１ｂ’、１ｂ”とからなる筒状の中間桁１ｂと、中央桁部（図示されていない。）とからなる筒状の中央桁とを有するとともに、隅桁１ａと中間桁１ｂとの間及び中間桁１ｂと中央桁との間には、フォークリフトのフォークが挿入可能なフォーク挿入口ｈが形成された、所謂、各側面に２つのフォーク挿入口ｈを有する四方差しのパレットが形成されている。
【００１１】
隅桁１ａと中間桁１ｂとの間に位置する上部デッキボードの下面には、隅桁部１ａ’と中間桁部１ｂ’とを連結する複数の桁間連結リブ２と、桁間連結リブ２に直交する複数の桁間直交リブ３とが、交叉するように垂設されている。同様に、中間桁部１ｂ’と中央桁部１ｃ’間に位置する上部デッキボードｐ１の下面にも、中間桁部１ｂ’と中央桁部１ｃ’とを連結する複数の桁間連結リブ４と、桁間連結リブ４に直交する複数の桁間直交リブ５とが、交叉するように垂設されている。更に、隅桁部１ａ’と中間桁部１ｂ’間及び中間桁部１ｂ’と中央桁部１ｃ’間に位置する領域以外（この領域を、以下、単に、桁間外領域）の上部デッキボードｐ１の下面にも、縦横に走る複数の交叉リブ６ａ、６ｂが垂設されている。
【００１２】
本実施例においては、長辺Ａに沿って形成されたリブのうち、桁を連結する桁間連結リブのリブピッチ（隣接するリブのリブ中心間の距離）が、短辺Ｂに沿って形成されたリブのうち、桁を連結する桁間連結リブのリブピッチより狭く形成されていることを特徴とするものである。より具体的には、長辺Ａに沿って形成された、隅桁部１ａ’と中間桁部１ｂ’とを連結する桁間連結リブ２のリブピッチｄ１及び長辺Ａに沿って形成された、中間桁部１ｂ’と中央桁部１ｃ’とを連結する桁間連結リブ４のリブピッチｄ２が、短辺Ｂに沿って形成された、隅桁部１ａ’と中間桁部１ｂ’とを連結する桁間連結リブ２のリブピッチｄ３及び短辺Ｂに沿って形成された、中間桁部１ｂ’と中央桁部１ｃ’とを連結する桁間連結リブ４のリブピッチｄ４より狭く形成されている。なお、桁間連結リブ２、４に直交する桁間直交リブ３、５のリブピッチ及び桁間外領域に位置する交叉リブ６ａ、６ｂのリブピッチは、いずれも、長辺Ａに沿って形成された、隅桁部１ａ’と中間桁部１ｂ’とを連結する桁間連結リブ２のリブピッチｄ１及び長辺Ａに沿って形成された、中間桁部１ｂ’と中央桁部１ｃ’とを連結する桁間連結リブ４のリブピッチｄ２より広く形成されている。
【００１３】
上述したように、長辺Ａに沿って形成された、隅桁部１ａ’と中間桁部１ｂ’とを連結する桁間連結リブ２のリブピッチｄ１及び長辺Ａに沿って形成された、中間桁部１ｂ’と中央桁部１ｃ’とを連結する桁間連結リブ４のリブピッチｄ２を、短辺Ｂに沿って形成された、隅桁部１ａ’と中間桁部１ｂ’とを連結する桁間連結リブ２のリブピッチｄ３及び短辺Ｂに沿って形成された、中間桁部１ｂ’と中央桁部１ｃ’とを連結する桁間連結リブ４のリブピッチｄ４より狭く形成することにより、パレットの長辺Ａ方向の剛性が高められる。従って、短辺Ｂ側に形成されたフォーク挿入口ｈに挿入したままの間隔を有するフォークｆを、長辺Ａ側に形成されているフォーク挿入口ｈに挿入した場合でも、パレットが、フォークｆの外側に位置する部分に載置された荷物Ｃの重さにより、上方に彎曲するようなことがなく、パレットに載置されている荷物が落下するようなことがない。
【００１４】
例えば、長辺の長さが、１２００ｍｍで、短辺の長さが、１０００ｍｍである合成樹脂製パレットの場合、長辺Ａに沿って形成された、隅桁部１ａ’と中間桁部１ｂ’とを連結する桁間連結リブ２のリブピッチｄ１は、１５〜３０ｍｍに形成され、また、長辺Ａに沿って形成された、中間桁部１ｂ’と中央桁部１ｃ’とを連結する桁間連結リブ４のリブピッチｄ２は、１０〜２０ｍｍに形成されている。そして、短辺Ｂに沿って形成された、隅桁部１ａ’と中間桁部１ｂ’とを連結する桁間連結リブ２のリブピッチｄ３は、４０〜６０ｍｍに形成され、また、短辺Ｂに沿って形成された、中間桁部１ｂ’と中央桁部１ｃ’とを連結する桁間連結リブ４のリブピッチｄ４も、同じく、４０〜６０ｍｍに形成されている、なお、桁間外領域に形成された交叉リブ６ａ、６ｂのリブピッチｄ５、ｄ６は、５０〜７０ｍｍに形成されている。
【００１５】
上述した実施例には、パレットが、同一形状を有する上部スキッドＳ１と下部スキッドＳ２とにより形成された、両面使用のものが示されているが、本発明の特徴である、長辺Ａに沿って形成されたリブのうち、桁を連結する桁間連結リブのリブピッチが、短辺Ｂに沿って形成されたリブのうち、桁を連結する桁間連結リブのリブピッチより狭く形成されている構成は、片面使用のパレットの場合には、少なくとも、上部デッキボードの下面に垂設されているリブに適用すればよく、必ずしも、下面デッキボードの上面に立設されているリブに適用する必要はない。
【００１６】
上述した本発明の特徴ある構成は、フォーク挿入口の幅が広い場合や、フォーク挿入口の高さが高い場合やデッキの厚さの薄い場合等、種々の合成樹脂製パレットに適用することができる。
【００１７】
【発明の効果】
本発明は、以上説明した構成を有しているので、以下に記載する効果を奏するものである。
【００１８】
長辺に沿って形成されたリブのうち、桁を連結する桁間連結リブのリブピッチを、短辺に沿って形成されたリブのうち、桁を連結する桁間連結リブのリブピッチより狭く形成したことにより、合成樹脂製パレットの長辺方向の剛性が高められる。従って、短辺側に形成されたフォーク挿入口に挿入したままの間隔を有するフォークを、長辺側に形成されているフォーク挿入口に挿入した場合でも、合成樹脂製パレットが、フォークの外側に位置する部分に載置された荷物の重さにより、上方に彎曲するようなことがなく、合成樹脂製パレットに載置されている荷物が落下するようなことがない。
【００１９】
長辺に沿って形成されたリブのうち、桁を連結する桁間連結リブのリブピッチを狭く形成したことにより、合成樹脂製パレットの重量の増加を抑制しつつ、効果的に、合成樹脂製パレットの剛性を高めて、撓み量を減少させることができる。また、撓み量の少ない方向には、リブピッチを広くして、更に、合成樹脂製パレットの重量の増加を抑えることができる。
【図面の簡単な説明】
【図１】図１は本発明の合成樹脂製パレットの斜視図である。
【図２】図１は本発明の合成樹脂製パレットを構成する上部スキッドの裏面斜視図である。
【図３】図３は本発明の合成樹脂製パレットを構成する上部スキッドの部分裏面斜視図である。
【図４】図４は従来の合成樹脂製パレット等の平面図である。
【図５】図５は従来の合成樹脂製パレット等の部分正面図である。
【符号の説明】
Ａ・・・・・・・・長辺
Ｂ・・・・・・・・短辺
ｈ・・・・・・・・フォーク挿入口
２、４・・・・・・桁間連結リブ
３、５・・・・・・桁間直交リブ
【図１】
0004577858.tif 000002
【図２】
0004577858.tif 000003
【図３】
0004577858.tif 000004
【図４】
0004577858.tif 000005
【図５】
0004577858.tif 000006